(57)【要約】ＤＳＰ（１０４５）は、ファインクロックマーク信号をコンパレートするコンパレータ（１０３３，１０３４）のコンパレートレベルを、既にコンパレートした信号成分のコンパレートレベルに対する重み付けを大きくして各信号成分をコンパレートするコンパレートレベルを演算する。そして、コンパレータ（１０３３，１０３４）によって、ファインクロックマーク信号はピーク側に設定されたレベルとボトム側に設定されたレベルとでコンパレートされる。ＤＳＰ（１０４５）は、コンパレータ（１０３３，１０３４）のいずれか一方から先にコンパレート信号が入力されると、コンパレータ（１０４７）からのコンパレート信号に基づいてファインクロックマーク検出信号ＦＣＭＴを生成する。その結果、ファインクロックマーク信号の振幅よりも大きな振幅の信号成分が検出された場合でも、ファインクロックマーク信号に基づいて正確にクロックを生成できる。
2002035527.tif 000002
【特許請求の範囲】
【請求項１】
クロックを生成する基準となるファインクロックマークを含む光ディスク（１００）に前記クロックに同期して信号を記録および／または再生する光ディスク装置（２００）であって、
前記光ディスク（１００）にレーザ光を照射し、その反射光を検出する光ピックアップ（１０２）と、
前記光ピックアップ（１０２）が前記ファインクロックマークに起因して検出したファインクロックマーク信号を所定のレベルでコンパレートしてファインクロックマーク検出信号を生成するファインクロックマーク検出回路（１０３）と、
前記ファインクロックマーク検出信号に同期し、かつ、前記ファインクロックマーク検出信号を所定数分の１に分周して前記クロックを生成するクロック生成回路（１０４）とを備え、
前記ファインクロックマーク検出回路（１０３）は、前記ファインクロックマーク信号のｎ（ｎは自然数）個の信号成分のうち、コンパレートしようとする信号成分をＦＣＭｋ（１≦ｋ≦ｎ）、前記信号成分ＦＣＭｋの直前にコンパレートされた信号成分をＦＣＭｋ−１、前記信号成分ＦＣＭｋ−１のコンパレートレベルをＬｋ−１、前記信号成分ＦＣＭｋの振幅をＰｋとしたとき、前記Ｌｋ−１に対する重み付けを前記振幅Ｐｋに対する重み付けよりも大きくした前記Ｌｋ−１と前記Ｐｋとの重み付け平均によって決定されたコンパレートレベルＬｋで前記信号成分ＦＣＭｋをコンパレートし、そのコンパレートしたコンパレート信号が得られたことに起因して前記ファインクロックマーク検出信号を生成する、光ディスク装置。
【請求項２】
前記ファインクロックマーク検出回路（１０３）は、
前記信号成分ＦＣＭｋのピーク側に設定された第１のレベルで前記信号成分をコンパレートした第１のコンパレート信号と、前記信号成分ＦＣＭｋのボトム側に設定された第２のレベルで前記信号成分ＦＣＭｋをコンパレートした第２のコンパレート信号とを生成し、前記第１または第２のコンパレート信号が得られたことに起因して前記ファインクロックマーク検出信号を生成し、
前記第１のレベルは、前記信号成分ＦＣＭｋ−１のピーク側に設定されたコンパレートレベルＬＰｋ−１と前記信号成分ＦＣＭｋのピーク値ＰＰｋとを用いた前記重み付け平均によって決定されたレベルであり、
前記第２のレベルは、前記信号成分ＦＣＭｋ−１のボトム側に設定されたコンパレートレベルＬＢｋ−１と前記信号成分ＦＣＭｋのボトム値ＰＢｋとを用いた前記重み付け平均によって決定されたレベルである、請求項１に記載の光ディスク装置。
【請求項３】
前記ファインクロックマーク検出回路（１０３）は、
前記信号成分ＦＣＭｋを前記第１のレベルでコンパレートして前記第１のコンパレート信号を生成する第１のコンパレータ（１０３３）と、
前記信号成分ＦＣＭｋを前記第２のレベルでコンパレートして前記第２のコンパレート信号を生成する第２のコンパレータ（１０３４）と、
前記信号成分ＦＣＭｋに基づいて前記ピーク値ＰＰｋをホールドする第１のホールド回路（１０３７）と、
前記信号成分ＦＣＭｋに基づいて前記ボトム値ＰＢｋをホールドする第２のホールド回路（１０３８）と、
前記信号成分ＦＣＭｋを前記所定のレベルでコンパレートして第３のコンパレート信号を生成する第３のコンパレータ（１０４７）と、
前記コンパレートレベルＬＰｋ−１と前記ピーク値ＰＰｋとを用いて重み付け平均によって前記第１のレベルを演算し、前記コンパレートレベルＬＢｋ−１と前記ボトム値ＰＢｋとを用いて重み付け平均によって前記第２のレベルを演算し、前記第１または第２のコンパレート信号が入力されると前記ピーク値ＰＰｋと前記ボトム値ＰＢｋとに基づいて前記所定のレベルを演算し、前記第３のコンパレート信号に基づいて前記ファインクロックマーク検出信号を生成する信号処理回路（１０４５）とを含む、請求項２に記載の光ディスク装置。
【請求項４】
前記光ピックアップ（１０２）は、タンジェンシャルプッシュプル法によって前記ファインクロックマーク信号を検出する、請求項１から請求項３のいずれか１項に記載の光ディスク装置。
【発明の詳細な説明】
技術分野
この発明は、光ディスクに形成された位相情報に基づいて、信号を記録および／または再生するときのクロックを正確に生成できる光ディスク装置に関する。
背景技術
光磁気ディスク、相変化ディスク等の光ディスクは、ランドとグルーブとをラジアル方向に交互に形成し、ランドとグルーブとの両方に信号を記録することによって高密度化を図っている。
最近、規格化されたＡＳ−ＭＯ（Ａｄｖａｎｃｅｄ　Ｓｔｏｒａｇｅｄ　Ｍａｇｎｅｔｏ　Ｏｐｔｉｃａｌ　ｄｉｓｋ）規格においては、データの記録または再生に用いるクロックを生成する基準となるファインクロックマークが所定の周期で形成されている。このファインロックマークは、具体的には、ランドに所定周期で３〜４データチャネルビット程度の長さを有するグルーブを設け、グルーブに所定周期で３〜４データチャネルビット程度の長さを有するランドを設けることにより形成される。この場合、グルーブのファインクロックマークは、光磁気記録媒体の基板の一方の表面に２ビームによってグルーブを成形するときに、グルーブの両隣に形成されるランドの位置に２つのビームを移動させることによって形成される。ランドのファインクロックマークも、グルーブのファインクロックマークと同様にして２つのビームを両隣のグルーブの位置に移動させることによって形成される。
ＡＳ−ＭＯ規格による光磁気ディスクにおいては、光磁気ディスクからファインクロックマークを検出してファインクロックマーク検出信号を生成する。そして、ファインクロックマーク検出信号に基づいて生成したクロックに同期して信号の記録および再生が行なわれる。
しかし、光磁気ディスクを成形するとき等にファインクロックマーク間に傷が入り、光磁気ディスクから検出したファインクロックマーク信号に傷に基づく信号成分が含まれると正確にクロックを生成できないという問題がある。
すなわち、ファインクロックマーク間に傷が入ると、ファインクロックマーク信号は図１９に示すような信号波形になる。信号成分Ｓ１，Ｓ３，Ｓ４はファインクロックマークに基づく信号成分であり、信号成分Ｓ２は傷に基づく信号成分である。レーザ光がグルーブを走査する場合とランドを走査する場合とでは信号成分Ｓ１，Ｓ３，Ｓ４の波形は逆になるため、クロックを正確に生成するためにはレーザ光が走査しているのがグルーブかランドかを認識する必要がある。そのために信号成分Ｓ１，Ｓ３，Ｓ４を２つのレベルＬ１，Ｌ２でコンパレートし、いずれのレベルでコンパレートした信号が先に検出されるかによってレーザ光が走査しているのがグルーブかランドかを決定する。そして、レベルＬ１は、信号成分Ｓ１のピーク値ＰＡをホールド回路によってホールドし、そのホールドしたピーク値ＰＡの約２分の１として決定する。また、レベルＬ２は、信号成分Ｓ１のボトム値ＰＢをホールド回路によってホールドし、そのホールドしたボトム値ＰＢの約２分の１として決定する。ホールド回路は、信号成分Ｓ１のピーク値ＰＡおよびボトム値ＰＢをホールドしたタイミングから大きく経過してもピーク値ＰＡおよびボトム値ＰＢに殆ど追従する。
そうすると、信号成分Ｓ１と信号成分Ｓ３との間に傷に基づく信号成分Ｓ２がホールド回路に入力されると、信号成分Ｓ２のピーク値およびボトム値は、それぞれ、ファインクロックマークに基づく信号成分Ｓ１，Ｓ３，Ｓ４のピーク値およびボトム値よりも大きいため、ピーク値から決定されたレベルＬ１はレベルＬ３へシフトし、ボトム値から決定されたレベルＬ２はレベルＬ４へシフトする。ホールド回路は、ピーク値またはボトム値に追従するためレベルＬ３は、信号成分Ｓ３，Ｓ４のピーク値よりも大きいレベルを保持し、レベルＬ４は、信号成分Ｓ３，Ｓ４のボトム値よりも小さいレベルを保持する。その結果、傷に基づく信号成分Ｓ２が存在すると、それ以後ファインクロックマークに基づく信号成分をコンパレートできなくなり、正確にクロックを生成できないという問題が生じる。
発明の開示
それゆえに、この発明の目的は、ファインクロックマーク信号の振幅よりも大きな振幅の信号成分が検出された場合でも、ファインクロックマーク信号に基づいて正確にクロックを生成できる光ディスク装置を提供することである。
この発明による光ディスク装置は、クロックを生成する基準となるファインクロックマークを含む光ディスクにクロックに同期して信号を記録および／または再生する光ディスク装置であって、光ディスクにレーザ光を照射し、その反射光を検出する光ピックアップと、光ピックアップがファインクロックマークに起因して検出したファインクロックマーク信号を所定のレベルでコンパレートしてファインクロックマーク検出信号を生成するファインクロックマーク検出回路と、ファインクロックマーク検出信号に同期し、かつ、ファインクロックマーク検出信号を所定数分の１に分周してクロックを生成するクロック生成回路とを備え、ファインクロックマーク検出回路は、ファインクロックマーク信号のｎ（ｎは自然数）個の信号成分のうち、コンパレートしようとする信号成分をＦＣＭｋ（１≦ｋ≦ｎ）、信号成分ＦＣＭｋの直前にコンパレートされた信号成分をＦＣＭｋ−１、信号成分ＦＣＭｋ−１のコンパレートレベルをＬｋ−１、信号成分ＦＣＭｋの振幅をＰｋとしたとき、Ｌｋ−１に対する重み付けを振幅Ｐｋに対する重み付けよりも大きくしたＬｋ−１とＰｋとの重み付け平均によって決定されたコンパレートレベルＬｋで信号成分ＦＣＭｋをコンパレートし、そのコンパレートしたコンパレート信号が得られたことに起因してファインクロックマーク検出信号を生成する。
この発明による光ディスク装置においては、ファインクロックマーク信号の既にコンパレートされた信号成分のコンパレートレベルに対する重み付けを大きくした重み付け平均によって演算したコンパレートレベルで各信号成分をコンパレートし、そのコンパレート信号が入力されたことによってファインクロックマーク信号の信号成分を検出する。そして、信号成分が検出されると、ファインクロックマーク信号に基づいてファインクロックマーク検出信号を生成し、ファインクロックマーク検出信号に同期したクロックを生成し、その生成したクロックに同期した信号の記録および／または再生が行なわれる。
したがって、この発明によれば、光ディスクに傷が形成されていても、ファインクロックマーク検出信号を正確に生成できる。
好ましくは、光ディスク装置のファインクロックマーク検出回路は、信号成分ＦＣＭｋのピーク側に設定された第１のレベルで信号成分をコンパレートした第１のコンパレート信号と、信号成分ＦＣＭｋのボトム側に設定された第２のレベルで信号成分ＦＣＭｋをコンパレートした第２のコンパレート信号とを生成し、第１または第２のコンパレート信号が得られたことに起因してファインクロックマーク検出信号を生成し、第１のレベルは、信号成分ＦＣＭｋ−１のピーク側に設定されたコンパレートレベルＬＰｋ−１と信号成分ＦＣＭｋのピーク値ＰＰｋとを用いた重み付け平均によって決定されたレベルであり、第２のレベルは、信号成分ＦＣＭｋ−１のボトム側に設定されたコンパレートレベルＬＢｋ−１と信号成分ＦＣＭｋのボトム値ＰＢｋとを用いた重み付け平均によって決定されたレベルである。
ファインクロックマーク信号のピーク値側に設定されたレベルとボトム値側に設定されたレベルとによってファインクロックマーク信号の各信号成分がコンパレートされる。そして、２つのコンパレート信号のうち、いずれか一方が検出されると、ファインクロックマーク検出信号が生成される。
したがって、この発明によれば、ファインクロックマーク信号のうち、基準線よりも上側または下側が欠落しても、正確にファインクロックマーク検出信号を生成できる。
好ましくは、光ディスク装置のファインクロックマーク検出回路は、信号成分ＦＣＭｋを第１のレベルでコンパレートして第１のコンパレート信号を生成する第１のコンパレータと、信号成分ＦＣＭｋを第２のレベルでコンパレートして第２のコンパレート信号を生成する第２のコンパレータと、信号成分ＦＣＭｋに基づいてピーク値ＰＰｋをホールドする第１のホールド回路と、信号成分ＦＣＭｋに基づいてボトム値ＰＢｋをホールドする第２のホールド回路と、信号成分ＦＣＭｋを所定のレベルでコンパレートして第３のコンパレート信号を生成する第３のコンパレータと、コンパレートレベルＬＰｋ−１とピーク値ＰＰｋとを用いて重み付け平均によって第１のレベルを演算し、コンパレートレベルＬＢｋ−１とボトム値ＰＢｋとを用いて重み付け平均によって第２のレベルを演算し、第１または第２のコンパレート信号が入力されるとピーク値ＰＰｋとボトム値ＰＢｋとに基づいて所定のレベルを演算し、第３のコンパレート信号に基づいてファインクロックマーク検出信号を生成する信号処理回路とを含む。
ファインクロックマーク検出回路においては、ファインクロックマーク信号のピーク値側に設定されたレベルとボトム値側に設定されたレベルとによってファインクロックマーク信号の各信号成分がコンパレートされる。そして、２つのコンパレート信号のうち、いずれか一方が検出されると、ファインクロックマーク信号が所定のレベルでコンパレートされ、ファインクロックマーク信号が基準線と交差する位置に同期したファインクロックマーク検出信号が生成される。
したがって、この発明によれば、ファインクロックマーク信号のうち、基準線よりも上側または下側が欠落しても、ファインクロックマークの中心位置に同期したファインクロックマーク検出信号を正確に生成できる。
好ましくは、光ディスク装置の光ピックアップは、タンジェンシャルプッシュプル法によってファインクロックマーク信号を検出する。
ファインクロックマーク信号は、光ディスクのタンジェンシャル方向における２つのレーザ強度の差として検出される。
したがって、この発明によれば、クロックを生成する基準となる位相情報を光ディスクの基板表面に凹凸形状として書込んだ光ディスクにおいて、クロックを正確に生成できる。
発明を実施するための最良の形態
本発明の実施の形態について図面を参照しながら詳細に説明する。なお、図中同一または相当部分には同一符号を付してその説明は繰返さない。
図１を参照して、本発明による光ディスク装置がデータの記録および／または再生の対象とする光磁気記録媒体について説明する。光磁気記録媒体１００には、記録単位であるフレームが等間隔で配置されており、各フレームは３９個のセグメントＳ０，Ｓ１，Ｓ２，…，Ｓ３８によって構成されている。
光磁気記録媒体１００は、グルーブ１とランド２とを径方向に交互に形成した平面構造を有し、グルーブ１とランド２とがスパイラル状もしくは同心円状に配置されている。そして、各セグメントの長さは、５３２ＤＣＢ（Ｄａｔａ　Ｃｈａｎｎｅｌ　Ｂｉｔ）であり、各セグメントの先頭には、データの記録および再生を行なうクロックの位相情報を示すファインクロックマーク（ＦＣＭ：Ｆｉｎｅ　Ｃｌｏｃｋ　Ｍａｒｋ）３が形成されている。このファインクロックマーク３は、グルーブ１に一定間隔毎に一定長さのランドを設け、ランド２に一定間隔毎に一定長さのグルーブを設けることにより形成される。そして、フレームの先頭であるセグメントＳ０には、ファインクロックマーク３に続いて、光磁気記録媒体１００上のアドレスを示すアドレス情報がウォブル４〜９により光磁気記録媒体１００の製造時にプリフォーマットされている。そして、光磁気記録媒体１００は、プリフォーマットされたグルーブ１、ランド２、ファインクロックマーク３、およびウォブル４〜９を覆うように磁性層が形成されている。そして、磁性層にレーザ光を照射し、記録信号により変調された磁界を印加することによって光磁気記録媒体１００に信号が記録される。また、磁性層に所定強度のレーザ光を照射し、その反射光を検出することにより光磁気記録媒体１００から信号を再生する。
ウォブル４とウォブル５、ウォブル６とウォブル７、およびウォブル８とウォブル９とは、グルーブ１の互いに反対側の壁に形成されており、同じアドレス情報が記録されている。かかるアドレス情報の記録方式を片側スタガ方式と言い、片側スタガ方式を採用することにより光磁気記録媒体１００にチルト等が発生し、レーザ光がグルーブ１もしくはランド２の中心からずれた場合にも正確にアドレス情報を検出することができる。
アドレス情報が記録された領域とファインクロックマーク３が形成された領域はユーザデータを記録する領域としては利用されない。また、セグメントＳｎは、ファインクロックマーク３とユーザデータｎ−１とにより構成される。
図２を参照して、セグメントの詳細な構成について説明する。フレームを構成する各セグメントＳ０，Ｓ１，Ｓ２，…，Ｓ３８のうち、セグメントＳ０は光磁気記録媒体１００上にプリフォーマットされたアドレスセグメントであり、セグメントＳ１からセグメントＳ３８は、ユーザデータの記録領域として確保されたデータセグメントである。セグメントＳ０は、１２ＤＣＢのファインクロックマーク領域ＦＣＭと５２０ＤＣＢのアドレスとから構成され、セグメントＳ１は、１２ＤＣＢのファインクロックマーク領域ＦＣＭと、４ＤＣＢのプリライトと、５１２ＤＣＢのデータと、４ＤＣＢのポストライトとから構成される。
プリライトは、データの書出しを示すものであり、たとえば、所定のパターン「００１１」から構成され、ポストライトはデータの終わりを示すものであり、たとえば、所定のパターン「１１００」から構成される。
また、セグメントＳ１のユーザデータ領域には、再生時のデータの位置確認、再生クロックの位置補償、レーザパワー調整等を行なうための固定パターンであるヘッダが設けられている。ヘッダに記録する固定パターンは直流成分を抑えたパターン（「ＤＣフリーであるパターン」とも言う、以下同じ。）であり、たとえば、２Ｔのドメインを２Ｔの間隔で所定個数形成したものと、８Ｔのドメインを８Ｔの間隔で所定個数形成したものとが記録される。
そして、２Ｔのドメインを再生して得られるアナログ信号のサンプリングのタイミングがデータの記録、および再生に用いるクロックの位相に一致するように調整することによって位相補償を行ない、２Ｔのドメインと８Ｔのドメインとを再生し、８Ｔのドメインの再生信号強度に対する２Ｔのドメインの再生信号強度の比が５０％以上になるようにレーザパワーの調整を行なう。また、８Ｔのドメインを再生し、再生信号を２値化したディジタル信号の位置が予め予想された８Ｔのドメインのディジタル信号の位置と一致するかを確認することによって再生時のデータの位置確認を行なう。さらに、プリライト、ポストライト、およびヘッダの各パターンは、ユーザデータの記録時にユーザデータと連続して記録される。
セグメントＳ２〜Ｓ３８は、１２ＤＣＢのファインクロックマーク領城ＦＣＭと、４ＤＣＢのプリライトと、５１２ＤＣＢのデータと、４ＤＣＢのポストライトとから構成される。
なお、ファインクロックマークＦＣＭおよびアドレスのようにプリフォーマットされた領域を「プリフォーマット領域」という。
図３を参照して、本発明による光ディスク装置について説明する。光ディスク装置２００は、スピンドルモータ１０１と、光ピックアップ１０２と、ファインクロックマーク検出回路（ＦＣＭ検出回路）１０３と、ＰＬＬ回路１０４と、アドレス検出回路１０５と、ＢＰＦ１０６と、ＡＤ変換器１０７と、波形等化回路１０８と、ビタビ復号回路１０９と、アンフォーマット回路１１０と、データ復調回路１１１と、ＢＣＨデコーダ１１２と、ヘッダ検出回路１１３と、コントローラ１１４と、タイミング発生回路１１５と、ＢＣＨエンコーダ１１６と、データ変調回路１１７と、フォーマット回路１２６と、磁気ヘッド駆動回路１２３と、レーザ駆動回路１２４と、磁気ヘッド１２５とを備える。フォーマット回路１２６は、パターン発生回路１１９と、セレクタ１２０とを含む。
スピンドルモータ１０１は、光磁気記録媒体１００を所定の回転数で回転させる。光ピックアップ１０２は、光磁気記録媒体１００にレーザ光を照射し、その反射光を検出する。ＦＣＭ検出回路１０３は、後述する方法によって光ピックアップ１０２が光磁気記録媒体１００のファインクロックマーク３の位置を示すファインクロックマーク検出信号ＦＣＭＴを検出し、その検出したファインクロックマーク検出信号ＦＣＭＴをＰＬＬ回路１０４、およびタイミング発生回路１１５へ出力する。
ＰＬＬ回路１０４は、ＦＣＭ検出回路１０３から出力されたファインクロックマーク検出信号ＦＣＭＴに基づいてクロックＣＫを生成し、その生成したクロックＣＫをアドレス検出回路１０５、ＡＤ変換器１０７、波形等化回路１０８、ビタビ復号回路１０９、アンフォーマット回路１１０、データ復調回路１１１、コントローラ１１４、タイミング発生回路１１５、データ変調回路１１７、およびフォーマット回路１２６のパターン発生回路１１９へ出力する。
アドレス検出回路１０５は、光ピックアップ１０２が光磁気記録媒体１００のセグメントＳ０からラジアルプッシュプル法により検出したアドレス信号ＡＤＡを入力し、ＰＬＬ回路１０４から入力されたクロックＣＫに同期してアドレス情報ＡＤを検出すると共に、アドレス情報ＡＤを検出したことを示すアドレス検出信号ＡＤＦをアドレス情報の最終位置で生成する。そして、検出したアドレス情報ＡＤをコントローラ１１４へ出力し、生成したアドレス検出信号ＡＤＦをヘッダ検出回路１１３およびタイミング発生回路１１５へ出力する。
ＢＰＦ１０６は、光磁気記録媒体１００から再生した再生信号ＲＦの高域と低域とを除去する。ＡＤ変換器１０７は、ＰＬＬ回路１０４からのクロックＣＫに同期して再生信号ＲＦをアナログ信号からディジタル信号に変換する。
波形等化回路１０８は、ＰＬＬ回路１０４からのクロックＣＫに同期してディジタル信号に変換された再生信号ＲＦにＰＲ（１，１）波形等化を行なう。すなわち、検出信号の前後のデータが１対１に波形干渉を行なうように等化する。
ビタビ復号回路１０９は、ＰＬＬ回路１０４からのクロックＣＫに同期して再生信号ＲＦを多値から２値に変換し、その変換した再生信号ＲＦをアンフォーマット回路１１０、およびヘッダ検出回路１１３へ出力する。
アンフォーマット回路１１０は、ヘッダ検出回路１１３から入力されたタイミング信号に同期して光磁気記録媒体１００のユーザデータ領域に記録されたプリライト、ポストライト、およびヘッダを除去する。
データ復調回路１１１は、ＰＬＬ回路１０４からのクロックＣＫに同期してアンフォーマットされた再生信号ＲＦを入力して、記録時に施されたディジタル変調を解くための復調を行なう。
ＢＣＨデコーダ１１２は、復調された再生信号の誤り訂正を行ない、再生データとして出力する。ヘッダ検出回路１１３は、コントローラ１１４から入力されたアドレス情報ＡＤおよびアドレス検出回路１０５から入力されたアドレス検出信号ＡＤＦに基づいて再生信号に含まれるヘッダの位置を検出し、ＰＬＬ回路１０４からのクロックＣＫに同期して再生信号からプリライトおよびヘッダのタイミング信号を生成する。そして、生成したヘッダのタイミング信号ＴＷをアンフォーマット回路１１０、およびデータ復調回路１１１へ出力する。
コントローラ１１４は、アドレス検出回路１０５で検出されたアドレス情報ＡＤを受け、そのアドレス情報ＡＤに基づいてサーボ機構（図示せず）を制御して光ピックアップ１０２を所望の位置にアクセスさせる。また、コントローラ１１４は、ＰＬＬ回路１０４からのクロックＣＫに同期してアドレス情報ＡＤをヘッダ検出回路１１３へ出力するとともに、タイミング発生回路１１５を制御する。
タイミング発生回路１１５は、コントローラ１１４からの制御に基づいて、ＦＣＭ検出回路１０３から入力されたファインクロックマーク検出信号ＦＣＭＴ、およびアドレス検出回路１０５から入力されたアドレス検出信号ＡＤＦに基づいて、ＰＬＬ回路１０４から入力されたクロックＣＫに同期してタイミング信号ＳＳを生成し、その生成したタイミング信号ＳＳをフォーマット回路１２６のパターン発生回路１１９およびセレクタ回路１２０、磁気ヘッド駆動回路１２３、およびレーザ駆動回路１２４へ出力する。
ＢＣＨエンコーダ１１６は、記録データに誤り訂正符号を付加する。データ変調回路１１７は、記録データを所定の方式に変調する。フォーマット回路１２６は、ＰＬＬ回路１０４からのクロックＣＫに同期し、かつ、タイミング発生回路１１５からのタイミング信号ＳＳに基づいて、データ変調回路１１７からの記録データにプリライト、ヘッダ、およびポストライトを追加して記録データをユーザデータ領域にマッチするようにフォーマットする。そして、フォーマット回路１２６は、そのフォーマットした記録データと、プリフォーマット領域に記録すべきパターンデータとを、タイミング発生回路１１５からのタイミング信号ＳＳに基づいて選択的に磁気ヘッド駆動回路１２３へ出力する。
パターン発生回路１１９は、プリフォーマット領域に記録すべきパターンデータと、プリライト、ヘッダ、およびポストライトとしてのパターンデータとをＰＬＬ回路１０４からのクロックＣＫに同期して生成し、その生成したデータパターンをセレクタ回路１２０へ出力する。
セレクタ回路１２０は、タイミング発生回路１１５からのタイミング信号ＳＳに基づいて、データ変調回路１１７からの記録データと、パターン発生回路１１９からのパターンデータとを選択して磁気ヘッド駆動回路１２３へ出力する。
磁気ヘッド駆動回路１２３は、タイミング発生回路１１５からのタイミング信号ＳＳの各タイミングに同期し、かつ、フォーマット回路１２６からの出力に基づいて磁気ヘッド１２５を駆動する。
レーザ駆動回路１２４は、タイミング発生回路１１５からのタイミング信号ＳＳに基づいて、光ピックアップ１０２中の半導体レーザ（図示せず）を駆動する。
磁気ヘッド１２５は、磁気ヘッド駆動回路１２３によって駆動され、記録データまたはデータパターンによって磁界変調された磁界を光磁気記録媒体１００に印加する。
図４を参照して、光磁気記録媒体１００からのアドレス情報ＡＤ、ファインクロックマーク信号ＦＣＭ、および光磁気信号ＲＦの検出について説明する。領域１０および領域３０は、光磁気記録媒体１００の製造時にプリフォーマットされるプリフォーマット領域を構成する。領域１０は、ウォブル４〜７とファインクロックマーク３とが形成される。また、領域３０は、ファインクロックマーク３が形成される。領域２０は、ユーザデータ領域を構成し、ユーザデータが記録される。
光磁気記録媒体１００にレーザ光を照射し、その反射光を検出する光ピックアップ１０２中の光検出器１０２０は、６つの検出領域１０２０Ａ，１０２０Ｂ，１０２０Ｃ，１０２０Ｄ，１０２０Ｅ，１０２０Ｆを有する。領域Ａ１０２０Ａと領域Ｂ１０２０Ｂ、領域Ｃ１０２０Ｃと領域Ｄ１０２０Ｄ、および領域Ｅ１０２０Ｅと領域Ｆ１０２０Ｆは光磁気記録媒体１００のタンジェンシャル方向ＤＲ２に配置され、領域Ａ１０２０Ａと領域Ｄ１０２０Ｄ、および領域Ｂ１０２０Ｂと領域Ｃ１０２０Ｃは光磁気記録媒体１００のラジアル方向ＤＲ１に配置される。
領域Ａ１０２０Ａ、領域Ｂ１０２０Ｂ、領域Ｃ１０２０Ｃ、および領域Ｄ１０２０Ｄは、それぞれ、光磁気記録媒体１００に照射されたレーザ光ＬＢのＡ領域、Ｂ領域、Ｃ領域、およびＤ領域での反射光を検出する。また、領域Ｅ１０２０Ｅ、および領域Ｆ１０２０Ｆは、レーザ光ＬＢのＡ領域、Ｂ領域、Ｃ領域、およびＤ領域の全体で反射されたレーザ光を、光ピックアップ１０２のウォラストンプリズム（図示せず）によって偏光面の異なる２つの方向に回折させたレーザ光を検出する。
ユーザデータ領域である領域２０に記録された光磁気信号の再生信号ＲＦは、光検出器１０２０の領域Ｅ１０２０Ｅで検出されたレーザ光強度［Ｅ］と領域Ｆ１０２０Ｆで検出されたレーザ光強度［Ｆ］との差を演算することによって検出される。すなわち、回路４０の差分器４００は、領域Ｅ１０２０Ｅで検出されたレーザ光強度［Ｅ］と領域Ｆ１０２０Ｆで検出されたレーザ光強度［Ｆ］との差分を演算し、再生信号ＲＦ＝［Ｅ］−［Ｆ］を出力する。
プリフォーマット領域を構成する領域１０のウォブル４〜７によって記録されたアドレス情報ＡＤの再生信号は、ラジアルプッシュプル法によって検出され、領域Ａ１０２０Ａで検出されたレーザ光強度［Ａ］と領域Ｂ１０２０Ｂで検出されたレーザ光強度［Ｂ］との和から領域Ｃ１０２０Ｃで検出されたレーザ光強度［Ｃ］と領域Ｄ１０２０Ｄで検出されたレーザ光強度［Ｄ］との和を減じたものとして検出される。すなわち、アドレス情報ＡＤは、回路５０を構成する加算器５００，５０１と減算器５０２とによって検出される。加算器５００は、領域Ａ１０２０Ａで検出されたレーザ光強度［Ａ］と領域Ｂ１０２０Ｂで検出されたレーザ光強度［Ｂ］とを加算した［Ａ＋Ｂ］を出力する。加算器５０１は、領域Ｃ１０２０Ｃで検出されたレーザ光強度［Ｃ］と領域Ｄ１０２０Ｄで検出されたレーザ光強度［Ｄ］とを加算した［Ｃ＋Ｄ］を出力する。そして、減算器５０２は、加算器５００の出力［Ａ＋Ｂ］から加算器５０１の出力［Ｃ＋Ｄ］を減算してアドレス情報の再生信号ＡＤ＝［Ａ＋Ｂ］−［Ｃ＋Ｄ］を出力する。
また、プリフォーマット領域を構成する領域３０のファインクロックマークＦＣＭは、タンジェンシャルプッシュプル法により検出され、領域Ａ１０２０Ａで検出されたレーザ光強度［Ａ］と領域Ｄ１０２０Ｄで検出されたレーザ光強度［Ｄ］との和から領域Ｂ１０２０Ｂで検出されたレーザ光強度［Ｂ］と領域Ｃ１０２０Ｃで検出されたレーザ光強度［Ｃ］との和を減じたものとして検出される。すなわち、ファインクロックマークＦＣＭは、回路５０を構成する加算器５０３，５０４と減算器５０５とによって検出される。加算器５０３は、領域Ａ１０２０Ａで検出されたレーザ光強度［Ａ］と領域Ｄ１０２０Ｄで検出されたレーザ光強度［Ｄ］とを加算した［Ａ＋Ｄ］を出力する。加算器５０４は、領域Ｂ１０２０Ｂで検出されたレーザ光強度［Ｂ］と領域Ｃ１０２０Ｃで検出されたレーザ光強度［Ｃ］とを加算した［Ｂ＋Ｃ］を出力する。そして、減算器５０５は、加算器５０３の出力［Ａ＋Ｄ］から加算器５０４の出力［Ｂ＋Ｃ］を減算してファインクロックマークの再生信号ＦＣＭ＝［Ａ＋Ｄ］−［Ｂ＋Ｃ］を出力する。
図５を参照して、図３に示すＦＣＭ検出回路１０３は、増幅器（ＡＭＰ（Ａｍｐｌｉｆｉｅｒ））１０３１と、ＶＣＡ（Ｖｏｌｔａｇｅ　Ｃｏｎｔｒｏｌｌｅｄ　Ａｍｐｌｉｆｉｅｒ）１０３２と、コンパレータ１０３３，１０３４，１０４７と、ＦＣＭピークスライスレベル設定回路１０３５と、ＦＣＭボトムスライスレベル設定回路１０３６と、ＦＣＭピークホールド回路１０３７と、ＦＣＭボトムホールド回路１０３８と、ＤＡ変換器１０３９，１０４０，１０４１Ａ，１０４４Ａと、ＡＤ変換器１０４２Ａ，１０４３Ａと、ＤＳＰ（Ｄｉｇｉｔａｌ　Ｓｉｇｎａｌ　Ｐｒｏｃｅｓｓｅｒ）１０４５と、基準スライスレベル設定回路１０４６とを含む。
増幅器１０３１は、光ピックアップ１０２が検出したファインクロックマーク信号ＦＣＭを所定のレベルに増幅する。また、ＶＣＡ１０３２は、増幅器１０３１によって増幅されたファインクロックマーク信号ＦＣＭを、ＤＳＰ１０４５から出力され、ＤＡ変換器１０４１Ａによってアナログ信号に変換された電圧値に応じてさらに増幅する。
図６を参照して、コンパレータ１０３３は、ＦＣＭピークスライスレベル設定回路１０３５によって設定されたレベルＬＰでファインクロックマーク信号ＦＣＭをコンパレートし、そのコンパレートしたコンパレート信号ＣＰ１をＤＳＰ１０４５へ出力する。また、コンパレータ１０３４は、ＦＣＭボトムスライスレベル設定回路１０３６によって設定されたレベルＬＢでファインクロックマーク信号ＦＣＭをコンパレートし、そのコンパレートしたコンパレート信号ＣＰ２をＤＳＰ１０４５へ出力する。
再び図５を参照して、ＦＣＭピークスライスレベル設定回路１０３５は、ＤＳＰ１０４５によって演算されたレベルに基づいてファインクロックマーク信号ＦＣＭをコンパレートするコンパレートレベルを設定する。また、ＦＣＭボトムスライスレベル設定回路１０３６は、ＤＳＰ１０４５によって演算されたレベルに基づいてファインクロックマーク信号ＦＣＭをコンパレートするもう１つのコンパレートレベルを設定する。
ＦＣＭピークホールド回路１０３７は、ファインクロックマーク信号ＦＣＭのピーク値をホールドする。ＦＣＭボトムホールド回路１０３８は、ファインクロックマーク信号ＦＣＭのボトム値をホールドする。ＤＡ変換器１０３９，１０４０は、ＤＳＰ１０４５から出力されたコンパレートレベルを設定するためのディジタル信号をアナログ信号に変換する。ＤＡ変換器１０４１Ａは、ＤＳＰ１０４５から出力された増幅率を設定するためのディジタル信号をアナログ信号に変換する。ＡＤ変換器１０４２Ａ，１０４３Ａは、それぞれ、ＦＣＭピークホールド回路１０３７、ＦＣＭボトムホールド回路１０３８でホールドされたホールド値をアナログ信号からディジタル信号に変換する。
基準スライスレベル設定回路１０４６は、コンパレータ１０４７のコンパレートレベルを設定する。コンパレータ１０４７は、ファインクロックマーク信号ＦＣＭを基準スライスレベル設定回路１０４６によって設定されたレベルによってコンパレートする。
図５および図７を参照して、ＤＳＰ１０４５は、コンパレートしようとするファインクロックマーク信号ＦＣＭの信号成分２２のピーク値ＰＫを、ＦＣＭピークホールド回路１０３７およびＡＤ変換器１０４２Ａによってディジタル信号に変換して入力し、信号成分２２のボトム値ＢＴＭを、ＦＣＭボトムホールド回路１０３８およびＡＤ変換器１０４３Ａによってディジタル信号に変換して入力する。そして、ＤＳＰ１０４５は、信号成分２２の直前の信号成分２１をコンパレートしたコンパレートレベルＬＰ１と、信号成分２２のピーク値ＰＫとを用いて信号成分２２のコンパレートレベルＬＰ２を重み付け平均によって演算する。また、ＤＳＰ１０４５は、信号成分２２の直前の信号成分２１をコンパレートしたコンパレートレベルＬＢ１と、信号成分２２のボトム値ＢＴＭとを用いて信号成分２２のコンパレートレベルＬＢ２を重み付け平均によって演算する。この場合、コンパレートレベルＬＰ２は、
ＬＰ２＝０．５×（（３×ＬＰ１＋ＰＫ）／４）…・・（１）
によって演算され、コンパレートレベルＬＢ２は、
ＬＢ２＝０．５×（（３×ＬＢ１＋ＢＴＭ）／４）…・（２）
によって演算される。すなわち、コンパレートしようとする信号成分２２の直前の信号成分２１のコンパレートレベルＬＰ１，ＬＢ１に対する重み付けをコンパレートしようとする信号成分２２のピーク値ＰＫまたはボトム値ＢＴＭに対する重み付けよりも大きくした重み付け平均を演算し、その演算結果に０．５を乗算したものとしてコンパレートレベルＬＰ２，ＬＢ２を演算する。
コンパレートレベルＬＰ１，ＬＢ１も、それぞれ、上記式（１）、（２）に従って演算されたものである。したがって、本発明においては、直前の信号成分をコンパレートしたコンパレートレベルに対する重み付けを大きくして、コンパレートしようとする信号成分のコンパレートレベルを決定することを特徴とする。ファインクロックマーク信号ＦＣＭを構成するｎ（ｎは自然数）個の信号成分ＦＣＭｎのうち、コンパレートしようとする信号成分をＦＣＭｋ（ｋは１≦ｋ≦ｎを満たす自然数）、信号成分ＦＣＭｋの直前の信号成分をＦＣＭｋ−１、信号成分ＦＣＭｋのピーク値をＰＫｋ、信号成分ＦＣＭｋ−１のコンパレートレベルをＬＰｋ−１、コンパレートレベルＬＰｋ−１に対する重み付けをａ、ピーク値ＰＫｋに対する重み付けをｂ（ａ≫ｂ）としたとき、信号成分ＦＣＭｋのピーク側に設定されるコンパレートレベルＬＰｋは、
ＬＰｋ＝０．５×（（ａ×ＬＰｋ−１＋ｂ×ＰＫｋ）／（ａ＋ｂ））…（３）
によって演算される。また、信号成分ＦＣＭｋのボトム側に設定されるコンパレートレベルＬＢｋも式（３）に従って演算される。
なお、本発明においては、重み付けのａ，ｂは、ａ＋ｂが４〜８の範囲である。そして、好ましくは、ｂ＝１に設定される。
これによって、ファインクロックマーク信号ＦＣＭに傷に起因する信号成分が含まれていても、コンパレータ１０３３または１０３４は、傷に起因する信号成分に続いて入力される信号成分を、基準線とピーク値ＰＫとの間、または基準線とボトム値ＢＴＭとの間に設定されたレベルＬＰまたはＬＢによってコンパレートすることができる。
ＤＳＰ１０４５は、演算したレベルＬＰ２，ＬＢ２を、それぞれ、ＤＡ変換器１０３９，１０４０へ出力する。
また、ＤＳＰ１０４５は、コンパレータ１０３３およびコンパレータ１０３４のいずれか一方からコンパレート信号ＣＰ１またはコンパレート信号ＣＰ２が入力されると、他方のコンパレート信号ＣＰ２またはＣＰ１の入力を停止し、先に入力されたコンパレート信号ＣＰ１またはＣＰ２を生成する元になったファインクロックマーク信号ＦＣＭに基づいてファインクロックマーク検出信号を生成する。つまり、レーザ光が光磁気記録媒体１００のグルーブ１を走査する場合、ファインクロックマーク信号ＦＣＭは、図６に示す波形となるため、コンパレート信号ＣＰ１が先にＤＳＰ１０４５に入力される。一方、レーザ光がランド２を走査する場合、ファインクロックマーク信号ＦＣＭは図６に示す波形と極性が反転した波形となるため、コンパレート信号ＣＰ２が先にＤＳＰ１０４５に入力される。
コンパレート信号ＣＰ１が先に入力されたとき、ＤＳＰ１０４５はコンパレートレベルＬＰに基づいて、ファインクロックマーク信号ＦＣＭが基準線と交差する点Ｐを求めるための基準スライスレベルを演算する。すなわち、基準線のレベルを演算する。そして、ＤＳＰ１０４５は、その演算した基準スライスレベルをＤＡ変換器１０４４へ出力する。ＤＡ変換器１０４４は、基準スライスレベルをディジタル信号からアナログ信号に変換して基準スライスレベル設定回路１０４６へ出力する。基準スライスレベル設定回路１０４６は、入力された基準スライスレベルをコンパレータ１０４７に設定する。コンパレータ１０４７は、入力されたファインクロックマーク信号ＦＣＭを基準スライスレベルでコンパレートし、図８に示すコンパレート信号ＦＣＭＣをＤＳＰ１０４５へ出力する。コンパレート信号ＦＣＭＣは、点Ｐの位置において極性が切替わる信号である。
そうすると、ＤＳＰ１０４５は、コンパレート信号ＦＣＭＣを反転し、検出窓信号ＤＥＷＩＮを生成する。検出窓信号ＤＥＷＩＮは振幅幅６ＤＣＢの信号である。ＤＳＰ１０４５は、反転信号／ＦＣＭＣと検出窓信号ＤＥＷＩＮとの論理積を演算して信号ＦＣＭＰを生成する。そして、ＤＳＰ１０４５は、信号ＦＣＭＰの立上がりに同期し、振幅幅１ＤＣＢのファインクロックマーク検出信号ＦＣＭＴを生成する。
コンパレータ１０３４からコンパレート信号ＣＰ２が先にＤＳＰ１０４５に入力されたときも、上述した方法と同じ方法によって、ＤＳＰ１０４５はファインクロックマーク検出信号ＦＣＭＴを生成する。なお、コンパレート信号ＣＰ２が先にＤＳＰ１０４５へ入力されるときは、図６に示す波形を反転した波形のファインクロックマーク信号が入力されるので、コンパレータ１０４７からＤＳＰ１０４５へ入力されるコンパレート信号は信号／ＦＣＭＣと同じ波形である。したがって、ＤＳＰ１０４５は、コンパレータ１０４７から入力されたコンパレート信号を反転させずに検出窓信号ＤＥＷＩＮとの論理積を演算する。
図９を参照して、ＤＳＰ１０４５がコンパレータ１０３３のコンパレートレベルを上述した重み付け平均によって演算することによって、ファインクロックマーク信号の信号成分Ｓ１と信号成分Ｓ３との間に、傷に起因する信号成分Ｓ２が含まれていても、コンパレータ１０３３のコンパレートレベルは、信号成分Ｓ３〜Ｓ５の基準線とピーク値との間に設定される。すなわち、ホールド回路によってホールドされるピーク値がＬ１からＬ３へ大きくなっても、コンパレータ１０３３のコンパレートレベルはＬ２からＬ５，Ｌ６へとシフトするだけであり、信号成分Ｓ３〜Ｓ６のピーク値よりも大きくなることはない。したがって、光磁気記録媒体１００に傷が入った場合でもファインクロックマーク信号ＦＣＭを正確に検出することができる。
図１０を参照して、ＤＳＰ１０４５の処理ルーチンについて説明する。ＤＳＰ１０４５は、光ピックアップ１０２から出射されるレーザ光のフォーカスサーボの計算を行ない（ステップＳ１０）、レーザ光のフォーカスサーボがオンされた後、レーザ光のトラッキングサーボの計算を行なう（ステップＳ２０）。そして、計算結果に基づいて、レーザ光のトラッキングサーボが行なわれた後、１６回に１回の割合でＦＣＭスライスレベル（ピーク値）の計算（ステップＳ３０）、ＦＣＭスライスレベル（ボトム値）の計算（ステップＳ４０）、スレッドサーボの計算（ステップＳ５０）を行なう。ＤＳＰ１０４５は、１０μｓｅｃごとに演算を行なう処理能力を有し、ファインクロックマーク信号ＦＣＭの各信号成分を１６０μｓｅｃごとに検出するので、本来なら、ある信号成分を検出してから次の信号成分を検出までに１６回の演算を行なうことができるが、ステップＳ３０，Ｓ４０，Ｓ５０のように各種の演算を行なう必要があるので、１６回に１回の割合でスライスレベルの演算を行なうようにしたものである。ＦＣＭスライスレベル（ピーク値）の計算（ステップＳ３０）、ＦＣＭスライスレベル（ボトム値）の計算（ステップＳ４０）、およびスレッドサーボの計算（ステップＳ５０）を経て処理ルーチンが終了する（ステップＳ６０）。
図１１を参照して、ＦＣＭスライスレベル（ピーク値）の計算のフローチャートについて説明する。計算がスタートすると（ステップＳ３１）、ＦＣＭピークホールド回路１０３７およびＡＤ変換器１０４２を介してピーク値ＰＫが取り込まれ（ステップＳ３２）、ＦＣＭ（ｋ）＝（３×ＬＰｋ−１＋ＰＫ）／４が演算される（ステップＳ３３）。そして、ＬＰｋ＝０．５×ＦＣＭ（ｋ）が演算され（ステップＳ３４）、ＦＣＭスライスレベルＬＰｋがディジタル信号からアナログ信号へ変換される（ステップＳ３５）。そして、演算は終了する（ステップＳ３６）。
ＦＣＭスライスレベル（ボトム値）を計算する場合も、図１１に示すフローチャートに従って計算される。
図１２を参照して、図３に示す光ディスク装置２００を構成するＰＬＬ回路１０４の構成を説明する。ＰＬＬ回路１０４は、位相比較回路１０４１と、ＬＰＦ１０４２と、電圧制御発振器（ＶＣＯ）１０４３と、１／５３２分周器１０４４とを備える。１／５３２分周器１０４４は、電圧制御発振器（ＶＣＯ）１０４３から出力されるクロックＣＫを１／５３２に分周する。位相比較器１０４１は、１／５３２分周器１０４４により分周されたクロックＣＫ１の位相をファインクロックマーク検出信号ＦＣＭＴの位相と比較し、その位相差に応じた誤差電圧を発生する。したがって、このＰＬＬ回路１０４は、ファインクロックマーク検出信号ＦＣＭＴに同期し、かつ、ファインクロックマーク検出信号ＦＣＭＴの１／５３２の周期を有するクロックＣＫを生成する。
ＦＣＭ検出回路１０３は、上述した方法によって検出したファインクロックマーク検出信号ＦＣＭＴをＰＬＬ回路１０４へ出力する。ＰＬＬ回路１０４は、上記図１２を参照して説明したようにファインクロックマーク検出信号ＦＣＭＴに同期し、かつ、ファインクロックマーク検出信号ＦＣＭＴを１／５３２に分周したクロックＣＫを生成する（図８参照）。
図１３を参照して、アドレス検出回路１０５におけるアドレス情報の検出と、アドレス検出信号の生成とについて説明する。光ピックアップ１０２は、上記図４を参照して説明したように、ラジアルプッシュプル法によりウォブルで記録されたアドレス信号ＡＤＡを検出し、アドレス信号ＡＤＡはアドレス検出回路１０５へ入力される。アドレス検出回路１０５は、アドレス信号ＡＤＡを２値化した２値化信号ＡＤＤを生成し、２値化信号ＡＤＤに基づいてアドレス情報ＡＤを検出する。それとともに、アドレス検出回路１０５は、２値化信号ＡＤＤとアドレス情報ＡＤとに基づいて、アドレス信号の最終位置Ｆを示すアドレス検出信号ＡＤＦをＰＬＬ回路１０４からのクロックＣＫに同期して生成する。このアドレス検出信号ＡＤＦは、アドレス情報の最終位置Ｆを含むような一定の長さＴが決定されて生成される。すなわち、２値化信号ＡＤＤの最初の位置に同期するクロックＣＫの成分からアドレス信号の最終位置Ｆに同期するクロックＣＫの成分までをカウントする。そして、最終位置Ｆにおけるカウント値をＫとし、カウント値Ｋを中心にして前後にｍカウント分だけずれたカウント値Ｋ−ｍとカウント値Ｋ＋ｍとの間に一定の長さＴを有するパルス成分が発生するようにアドレス検出信号ＡＤＦを生成する。
図１４を参照して、タイミング発生回路１１５におけるタイミング信号ＳＳの生成について説明する。アドレス検出回路１０５からアドレス検出信号ＡＤＦが入力され、ＦＣＭ検出回路１０３からファインクロックマーク検出信号ＦＣＭＴが入力され、ＰＬＬ回路１０４からクロックＣＫが入力されると、タイミング発生回路１１５は、いずれのファインクロックマーク検出信号ＦＣＭＴのタイミングでアドレス検出信号ＡＤＦが存在するか否かを判別し、アドレス検出信号ＡＤＦが存在したファインクロックマーク検出信号ＦＣＭＴの成分ＦＣＭＴ１と、成分ＦＣＭＴ１の前に存在する成分ＦＣＭＴ２とを含むような成分ＳＳ１と、ファインクロックマーク検出信号ＦＣＭＴの成分ＦＣＭＴ３，ＦＣＭＴ４のみを含むような成分ＳＳ２，ＳＳ３とから成るタイミング信号ＳＳをクロックＣＫに同期して生成する。この場合、ファインクロックマーク検出信号ＦＣＭＴの成分ＦＣＭＴ１，ＦＣＭＴ２，ＦＣＭＴ３，ＦＣＭＴ４の各々は、ファインクロックマーク３の中心位置に同期しており、ファインクロックマーク３の長さは１２ＤＣＢと予め決定されているので、タイミング発生回路１１５は、ウォブル４，５が形成された領域と、その領域の両側に存在するファインクロックマーク３，３の領域とを包含するように成分ＳＳ１を生成し、ファインクロックマーク検出信号ＦＣＭＴの成分ＦＣＭＴ３，ＦＣＭＴ４に対応するファインクロックマーク３，３の領域を包含するように成分ＳＳ２，ＳＳ３を生成し、ユーザデータを記録する領域２０，２０，２０に対応するように成分ＳＳ４，ＳＳ５，ＳＳ６を生成する。
図１５を参照して、図３に示すフォーマット回路１２６を構成するセレクタ回路１２０の動作について説明する。タイミング発生回路１１５からタイミング信号ＳＳがセレクタ回路１２０に入力されると、セレクタ回路１２０は、タイミング信号ＳＳに基づいてデータ変調回路１１７からの記録データ（ＷＤ）と、パターン発生回路１１９からのパターンデータ（ＫＤ）とを選択する。セレクタ回路１２０は、タイミング信号（ＳＳ）がＨレベルのときパターン発生回路１１９からのパターンデータ（ＫＤ）を選択し、タイミング信号（ＳＳ）がＬレベルのときデータ変調回路１１７からの記録データ（ＷＤ）を選択する。
光磁気記録媒体１００上でのデータ構成（ＤＦ）がＦＣＭ／ＡＤＤ／ＦＣＭ／ＰＥＷ／ＨＥＤ／ＤＡ／ＰＯＷ／ＦＣＭ／ＰＥＷ／ＤＡ／ＰＯＷである場合にデータ変調回路１１７から記録データ（ＷＤ）が出力され、パターン発生回路１１９からパターンデータ（ＫＤ）が出力されると、セレクタ回路１２０は、タイミング信号ＳＳの成分ＳＳ１に基づいて、パターン発生回路１１９からのパターンデータ「１１１１００００１１１１００００」を選択して磁気ヘッド駆動回路１２３へ出力する。続いて、セレクタ回路１２０は、成分ＳＳ４に基づいて、データ変調回路１１７からの記録データのうち４ｂｉｔｓのプリライトＰＥＷ、３２０ｂｉｔｓのヘッダＨＥＤ、１９２ｂｉｔｓのデータＤＡ、４ｂｉｔｓのポストライトＰＯＷを選択して磁気ヘッド駆動回路１２３へ出力する。さらに、続いて、セレクタ回路１２０は、成分ＳＳ２に基づいて、パターン発生回路１１９からのデータパターン「１１００」を選択して磁気ヘッド駆動回路１２３へ出力する。またさらに、続いて、セレクタ回路１２０は、成分ＳＳ５に基づいて、データ変調回路１１７からの記録データ（ＷＤ）のうち、４ｂｉｔｓのプリライトＰＥＷ、５１２ｂｉｔｓのデータＤＡ、４ｂｉｔｓのポストライトＰＯＷを選択して磁気ヘッド駆動回路１２３へ出力する。これにより、磁気ヘッド駆動回路１２３へ記録データ列（ＫＷＤ）が出力される。
図１５から明らかなように、記録データ列（ＫＷＤ）を磁気ヘッド駆動回路１２３へ出力することにより、光磁気記録媒体１００上のＦＣＭ／ＡＤＤ／ＦＣＭが形成された領域１０に光磁気信号「１１１１００００１１１１００００」が記録され、ＦＣＭが形成された領域３０に光磁気信号「１１００」が記録される。このように、光磁気記録媒体１００上のデータ構成（ＤＦ）の全ての領域に光磁気信号を記録するのは、ユーザデータ領域である領域２０からデータを再生した場合に、再生信号の直流成分を抑制するためである。
図１６を参照して、図３に示す光ディスク装置２００のフォーマット回路１２６を構成するパターン発生回路１１９およびセレクタ１２０と、タイミング発生回路１１５とについて詳細に説明する。
タイミング発生回路１１５は、５３２計上カウンタ１１５０と、一致回路１１５１と、３９計上カウンタ１１５２と、カウンタ値比較回路群１１５３とから成る。５３２計上カウンタ１１５０は、ＦＣＭ検出回路１０３からのファインクロックマーク検出信号ＦＣＭＴが入力されるとリセットされ、ＰＬＬ回路１０４から入力されたクロックＣＫをカウントし、そのカウント値を一致回路１１５１およびカウント値比較回路群１１５３へ出力する。一致回路１１５１は、５３２計上カウンタ１１５０から入力されるカウント値の最大カウント値が５３１に一致するか否かを判別し、一致するとき一致信号ＭＴＣを３９計上カウンタ１１５２へ出力する。３９計上カウンタ１１５２は、アドレス検出回路１０５から入力されるアドレス検出信号ＡＤＦによってリセットされ、一致信号ＭＴＣをカウントし、そのカウント値をカウンタ値比較回路群１１５３へ出力する。
カウンタ値比較回路群１１５３は、３９計上カウンタ１１５２から入力されたカウント値に基づいて光磁気記録媒体１００のセグメントＳ０〜Ｓ３８を特定し、５３２計上カウンタ１１５０から入力されたカウント値に基づいてセグメントＳ０〜Ｓ３８の各々におけるファインクロックマーク、アドレス、プリライト、ポストライト、ヘッダ、およびデータ等の位置を特定する。そして、カウンタ値比較回路群１１５３は、特定したファインクロックマークの位置に基づいて、ファインクロックマークタイミング信号ＴＳＦＣＭ１〜３をパターン発生回路１１９のＦＣＭパターン発生回路１１９０およびセレクタ回路１２０へ出力する。また、カウンタ値比較回路群１１５３は、特定したヘッダの位置に基づいて、ヘッダタイミング信号ＴＳＨＥＤをパターン発生回路１１９のヘッダパターン発生回路１１９１およびセレクタ回路１２０へ出力する。さらに、カウンタ値比較回路群１１５３は、特定したアドレスの位置に基づいて、アドレスタイミング信号ＴＳＡＤをパターン発生回路１１９のアドレスパターン発生回路１１９２およびセレクタ回路１２０へ出力する。またさらに、カウンタ値比較回路群１１５３は、特定したプリライトの位置に基づいて、プリライトタイミング信号ＴＳＰＲＷ１，２をパターン発生回路１１９のプリライトパターン発生回路１１９３およびセレクタ回路１２０へ出力する。またさらに、カウンタ値比較回路群１１５３は、特定したポストライトの位置に基づいて、ポストライトタイミング信号ＴＳＰＯＷ１，２をパターン発生回路１１９のポストライトパターン発生回路１１９４およびセレクタ回路１２０へ出力する。またさらに、カウンタ値比較回路群１１５３は、特定したデータの位置に基づいて、データタイミング信号ＴＳＤＡ１，２をフォーマット回路１１８およびセレクタ回路１２０へ出力する。またさらに、カウンタ値比較回路群１１５３は、アドレス検出回路１０５からディフェクトフレーム検出信号が入力されると、固定タイミング信号ＴＳＨＬＤを固定パターン発生回路１１９の固定パターン発生回路１１９５およびセレクタ回路１２０へ出力する。
パターン発生回路１１９は、ＦＣＭパターン発生回路１１９０と、ヘッダパターン発生回路１１９１と、アドレスパターン発生回路１１９２と、プリライトパターン発生回路１１９３と、ポストライトパターン発生回路１１９４と、固定パターン発生回路１１９５とから成る。ＦＣＭパターン発生回路１１９０は、ファインクロックマークタイミング信号ＴＳＦＣＭ１〜３に同期してファインクロックマークが形成された領域に記録すべきパターンデータを生成し、セレクタ回路１２０へ出力する。ヘッダパターン発生回路１１９１は、ヘッダタイミング信号ＴＳＨＥＤに同期してヘッダ領域に記録すべきパターンデータを生成し、セレクタ回路１２０へ出力する。
アドレスパターン発生回路１１９２は、アドレスタイミング信号ＴＳＡＤに同期してアドレス領域に記録すべきパターンデータを生成し、セレクタ回路１２０へ出力する。プリライトパターン発生回路１１９３は、プリライトタイミング信号ＴＳＰＲＷ１，２に同期してプリライト領域に記録すべきパターンデータを生成し、セレクタ回路１２０へ出力する。
ポストライトパターン発生回路１１９４は、ポストライトタイミング信号ＴＳＰＯＷ１，２に同期してポストライト領域に記録すべきパターンデータを生成し、セレクタ１２０へ出力する。固定パターン発生回路１１９５は、固定タイミング信号ＴＳＨＬＤに同期して傷が存在するフレームに記録すべきパターンデータを生成し、セレクタ１２０へ出力する。
セレクタ１２０は、カウンタ値比較回路群１１５３から入力されたファインクロックマークタイミング信号ＴＳＦＣＭ１〜３に同期して、ＦＣＭパターン発生回路１１９０から入力されたファインクロックマーク領域に記録すべきパターンデータを磁気ヘッド駆動回路１２３へ出力する。また、セレクタ１２０は、カウンタ値比較回路群１１５３から入力されたヘッダタイミング信号ＴＳＨＥＤに同期して、ＦＣＭパターン発生回路１１９０から入力されたヘッダ領域に記録すべきパターンデータを磁気ヘッド駆動回路１２３へ出力する。さらに、セレクタ１２０は、カウンタ値比較回路群１１５３から入力されたアドレスタイミング信号ＴＳＡＤに同期して、アドレスパターン発生回路１１９２から入力されたアドレス領域に記録すべきパターンデータを磁気ヘッド駆動回路１２３へ出力する。またさらに、セレクタ１２０は、カウンタ値比較回路群１１５３から入力されたプリライトタイミング信号ＴＳＰＲＷ１，２に同期して、プリライトパターン発生回路１１９３から入力されたプリライト領域に記録すべきパターンデータを磁気ヘッド駆動回路１２３へ出力する。またさらに、セレクタ１２０は、カウンタ値比較回路群１１５３から入力されたポストライトタイミング信号ＴＳＰＯＷ１，２に同期して、ポストライトパターン発生回路１１９４から入力されたポストライト領域に記録すべきパターンデータを磁気ヘッド駆動回路１２３へ出力する。またさらに、セレクタ１２０は、カウンタ値比較回路群１１５３から入力された固定タイミング信号ＴＳＨＬＤに同期して、固定パターン発生回路１１９５から入力された欠損が存在するフレーム全体に記録すべきパターンデータを磁気ヘッド駆動回路１２３へ出力する。
図１６〜１８を参照して、タイミング発生回路１１５、パターン発生回路１１９、およびセレクタ回路１２０の動作について説明する。タイミング発生回路１１５の５３２計上カウンタ１１５０は、ＦＣＭ検出回路１０３からのファインクロックマーク検出信号ＦＣＭＴが入力されるとカウント値をリセットし、ＰＬＬ回路１０４から入力されたクロックＣＫをカウントする。すなわち、５３２計上カウンタ１１５０は、図１７のファインクロックマーク検出信号ＦＣＭＴの成分Ｓ１，Ｓ２，…が入力されるとリセットし、隣接成分Ｓ１，Ｓ２間におけるクロックＣＫをカウントする。ファインクロックマーク検出信号ＦＣＭＴの隣接成分Ｓ１，Ｓ２間には、通常、５３２個のクロック成分が存在するため、５３２計上カウンタ１１５０は、カウント値０〜５３１を一致回路１１５１およびカウンタ値比較回路群１１５３へ出力する。
そうすると、一致回路１１５１は、入力されたカウント値のうち、最大のカウント値が５３１であるか否かを判別し、５３１に一致するとき一致信号ＭＴＣを３９計上カウンタ１１５２へ出力する。そうすると、３９計上カウンタ１１５２は、アドレス検出回路１０５からアドレス検出信号ＡＤＦが入力されるとリセットされ、一致信号ＭＴＣをカウントし、そのカウント値０〜３８をカウント値比較回路群１１５３へ出力する。なお、アドレス検出信号ＡＤＦは、１フレームごと、すなわち、３９セグメントごとに入力されるので、３９計上カウンタ１１５２は、０〜３８のカウント値をカウント値比較回路群１１５３へ出力する。
カウント値比較回路群１１５３は、３９計上カウンタ１１５２から入力されたカウント値が「０」のとき、セグメントＳ０、すなわちアドレス情報ＡＤがプリフォーマットされている領域であることを認識する。次に、カウント値比較回路群１１５３は、５３２計上カウンタ１１５０からのカウント値が０〜１１，１２〜５３１のとき、それぞれ、セグメントＳ０におけるファインクロックマーク領域、アドレス領域であることを認識する。そして、カウント値比較回路群１１５３は、ファインクロックマークタイミング信号ＴＳＦＣＭ１およびアドレスタイミング信号ＴＳＡＤを生成し、それぞれ、ＦＣＭパターン発生回路１１９０、アドレスパターン発生回路１１９２へ出力する。
また、３９計上カウンタ１１５２から入力されたカウント値が「１」であるとき、カウント値比較回路群１１５３は、セグメントＳ１を認識する。次に、カウント値比較回路群１１５３は、５３２計上カウンタ１１５０からのカウント値が０〜１１，１２〜１５，１６〜３３５，３３６〜５２５，５２６〜５２９のとき、それぞれ、ファインクロックマーク領域、プリライト領域、ヘッダ領域、データ領域、ポストライト領域であることを認識する。そして、カウント値比較回路群１１５３は、ファインクロックマークタイミング信号ＴＳＦＣＭ２、プリライトタイミング信号ＴＳＰＲＷ１、ヘッダタイミング信号ＴＳＨＥＤ、データタイミング信号ＴＳＤＡ１、およびポストライトタイミング信号ＴＳＰＯＷ１を生成し、それぞれ、ＦＣＭパターン発生回路１１９０、プリライトパターン発生回路１１９３、ヘッダパターン発生回路１１９１、データ変調回路１１７、およびポストライトパターン発生回路１１９４へ出力する。
さらに、３９計上カウンタ１１５２から入力されたカウント値が「２」〜「３８」であるとき、カウント値比較回路群１１５３は、セグメントＳ２〜Ｓ３８を認識する。次に、カウント値比較回路群１１５３は、５３２計上カウンタ１１５０からのカウント値が０〜１１，１２〜１５，１６〜５２７，５２８〜５３１のとき、それぞれ、ファインクロックマーク領域、プリライト領域、データ領域、ポストライト領域であることを認識する。そして、カウント値比較回路群１１５３は、ファインクロックマークタイミング信号ＴＳＦＣＭ３、プリライトタイミング信号ＴＳＰＲＷ２、データタイミング信号ＴＳＤＡ２、およびポストライトタイミング信号ＴＳＰＯＷ２を生成し、それぞれ、ＦＣＭパターン発生回路１１９０、プリライトパターン発生回路１１９３、データ変調回路１１７およびポストライトパターン発生回路１１９４へ出力する。
ＦＣＭパターン発生回路１１９０は、ファインクロックマークタイミング信号ＴＳＦＣＭ１〜３の各々に同期して１２ＤＣＢのパターンデータ「１１１１００００１１１１」を生成し、セレクタ回路１２０へ出力する。ヘッダパターン発生回路１１９１は、ヘッダタイミング信号ＴＳＨＥＤに同期して３２０ＤＣＢのパターンデータ「１１００１１００…１１００１１１１１１１１００００００００１１１１１１１１００００００００…１１１１１１１１００００００００」を生成し、セレクタ回路１２０へ出力する。３２０ＤＣＢのパターンデータは、上述したように２Ｔの信号を２Ｔの間隔で所定数記録し、８Ｔの信号を８Ｔの間隔で所定数記録するためのパターンデータであり、レーザ光の最適強度、再生信号をサンプリングするクロックの最適位相等を決定するために用いられる。
アドレスパターン発生回路１１９２は、アドレスタイミング信号ＴＳＡＤに同期して５２０ＤＣＢのパターンデータ「１１１１００００１１１１００００…１１１１００００」を生成し、セレクタ回路１２０へ出力する。プリライトパターン発生回路１１９３は、プリライトタイミング信号ＴＳＰＲＷ１，２に同期して４ＤＣＢのパターンデータ「００１１」を生成し、セレクタ回路１２０へ出力する。ポストライトパターン発生回路１１９４は、ポストライトタイミング信号ＴＳＰＯＷ１，２に同期して４ＤＣＢのパターンデータ「１１００」を生成し、セレクタ回路１２０へ出力する。固定パターン発生回路１１９５は、固定パターンタイミング信号ＴＳＨＬＤに同期して５３２×３９＝２０７４８ＤＣＢのパターンデータ「１１１１００００１１１１００００…１１１１００００」を生成し、セレクタ回路１２０へ出力する。
セレクタ回路１２０は、ファインクロックマークタイミング信号ＴＳＦＣＭ１に同期して１２ＤＣＢのパターンデータ「１１１１００００１１１１」を磁気ヘッド駆動回路１２３へ出力し、アドレスタイミング信号ＴＳＡＤに同期して５２０ＤＣＢのパターンデータ「１１１１００００１１１１００００…１１１１００００」を磁気ヘッド駆動回路１２３へ出力する。
また、セレクタ回路１２０は、ファインクロックマークタイミング信号ＴＳＦＣＭ２に同期して１２ＤＣＢのパターンデータ「１１１１００００１１１１」を磁気ヘッド駆動回路１２３へ出力し、プリライトタイミング信号ＴＳＰＲＷに同期して４ＤＣＢのパターンデータ「００１１」を磁気ヘッド駆動回路１２３へ出力する。
さらに、セレクタ回路１２０は、ヘッダタイミング信号ＴＳＨＥＤに同期して３２０ＤＣＢのパターンデータ「１１００１１００１１００１１００…１１１１１１１１００００００００１１１１１１１１」を磁気ヘッド駆動回路１２３へ出力し、データタイミング信号ＴＳＤＡ１に同期して１９２ＤＣＢの記録データを磁気ヘッド駆動回路１２３へ出力する。
また、さらに、セレクタ回路１２０は、ポストライトタイミング信号ＴＳＰＯＷに同期して４ＤＣＢのパターンデータ「１１００」を磁気ヘッド駆動回路１２３へ出力し、ファインクロックマークタイミング信号ＴＳＦＣＭ３に同期して１２ＤＣＢのパターンデータ「１１１１００００１１１１」を磁気ヘッド駆動回路１２３へ出力する。
また、さらに、セレクタ回路１２０は、プリライトタイミング信号ＴＳＰＲＷに同期して４ＤＣＢのパターンデータ「００１１」を磁気ヘッド駆動回路１２３へ出力し、データタイミング信号ＴＳＤＡ２に同期して５１２ＤＣＢの記録データを磁気ヘッド駆動回路１２３へ出力し、ポストライトタイミング信号ＴＳＰＯＷに同期して４ＤＣＢのパターンデータ「１１００」を磁気ヘッド駆動回路１２３へ出力する。またさらに、セレクタ回路１２０は、固定パターンタイミング信号ＴＳＨＬＤに同期して２０７４８ＤＣＢの「１１１１００００…１１１１００００」を磁気ヘッド駆動回路１２３へ出力する。
これにより、図１５に示す記録データ列（ＫＷＤ）が磁気ヘッド駆動回路１２３へ出力され、光磁気記録媒体１００に記録される。
再び、図３を参照して、光ディスク装置２００における光磁気記録媒体１００へのデータの記録動作について説明する。光磁気記録媒体１００が光ディスク装置２００に装着されると、コントローラ１１４は、スピンドルモータ１０１を所定の回転数で回転させるようにサーボ機構（図示せず）に制御するとともに、所定強度のレーザ光を光ピックアップ１０２から出射させるようにタイミング発生回路１１５を介してレーザ駆動回路１２４を制御する。
そうすると、サーボ機構（図示せず）は、スピンドルモータ１０１を所定の回転数で回転させ、スピンドルモータ１０１は、光磁気記録媒体１００を所定の回転数で回転させる。また、光ピックアップ１０２は、所定強度のレーザ光を対物レンズ（図示せず）によって光磁気記録媒体１００に集光照射し、その反射光を検出する。そして、光ピックアップ１０２は、フォーカスエラー信号、およびトラッキングエラー信号をサーボ機構（図示せず）に出力し、サーボ機構はフォーカスエラー信号およびトラッキングエラー信号に基づいて、光ピックアップ１０２の対物レンズのフォーカスサーボおよびトラッキングサーボをオンさせる。
その後、光ピックアップ１０２は、光磁気記録媒体１００からタンジェンシャルプッシュプル法によりファインクロックマーク信号ＦＣＭを検出し、その検出したファインクロックマーク信号ＦＣＭをＦＣＭ検出回路１２０へ出力する。ＦＣＭ検出回路１２０は、上述した方法によって、ファインクロックマーク信号ＦＣＭからファインクロックマーク検出信号ＦＣＭＴを正確に生成し、その生成したファインクロックマーク検出信号ＦＣＭＴをＰＬＬ回路１０４およびタイミング発生回路１１５へ出力する。ＰＬＬ回路１０４は、ファインクロックマーク検出信号ＦＣＭＴに基づいてクロックＣＫを生成し、その生成したクロックＣＫをアドレス検出回路１０５、コントローラ１１４、タイミング発生回路１１５、データ変調回路１１７、およびフォーマット回路１２６へ出力する。
また、アドレス検出回路１０５は、光ピックアップ１０２が光磁気記録媒体１００のセグメントＳ０からラジアルプッシュプル法により検出したアドレス信号を入力し、ＰＬＬ回路１０４から入力されたクロックＣＫに同期してアドレス情報ＡＤを検出すると共に、アドレス情報ＡＤを検出したことを示すアドレス検出信号ＡＤＦをアドレス情報の最終位置で生成する。そして、検出したアドレス情報ＡＤをコントローラ１１４へ出力し、生成したアドレス検出信号ＡＤＦをヘッダ検出回路１１３およびタイミング発生回路１１５へ出力する。
一方、ＢＣＨエンコーダ１１６は、記録データに誤り訂正符号を付加し、データ変調回路１１７は、ＰＬＬ回路１０４からのクロックＣＫに同期してＢＣＨエンコーダ１１６からの記録データを所定の方式に変調する。そして、データ変調回路１１７は、変調した記録データをフォーマット回路１２６へ出力する。
タイミング発生回路１１５は、アドレス検出回路１０５から入力されたアドレス情報に基づいて、光磁気記録媒体１００のデータ領域に記録する記録信号を生成するためのタイミング信号を生成する。そして、タイミング発生回路１１５は、生成したタイミング信号をセレクタ回路１２０、磁気ヘッド駆動回路１２３、およびレーザ駆動回路１２４へ出力する。
セレクタ回路１２０は、タイミング信号に基づいて、データ変調回路１１７から入力された記録信号を選択して磁気ヘッド駆動回路１２３へ出力する。そして、磁気ヘッド駆動回路１２３は、記録信号によって変調された磁界をタイミング信号に同期して生成するように磁気ヘッド１２５を駆動する。一方、レーザ駆動回路１２４は、タイミング信号に同期して光ピックアップ１０２中の半導体レーザ（図示せず）を駆動し、光ピックアップ１０２はレーザ光を対物レンズ（図示せず）によって光磁気記録媒体１００に集光照射する。そして、磁気ヘッド１２５は、記録信号によって変調された磁界を光磁気記録媒体１００に印加する。これによって、記録データが光磁気記録媒体１００に記録される。
次に、光ディスク装置２００を用いた光磁気記録媒体１００からの信号の再生動作について説明する。光磁気記録媒体１００が光ディスク装置２００に装着され、対物レンズのフォーカスサーボおよびトラッキングサーボが行なわれ、クロックＣＫが生成され、アドレス情報が検出されるまでの動作は、信号の記録動作と同じである。検出されたアドレス情報は、コントローラ１１４へ入力される。
ヘッダ検出回路１１３は、コントローラ１１４から入力されたアドレス情報ＡＤおよびアドレス検出回路１０５から入力されたアドレス検出信号ＡＤＦに基づいて再生信号に含まれるヘッダの位置を検出し、ＰＬＬ回路１０４からのクロックＣＫに同期して再生信号からプリライトおよびヘッダのタイミング信号を生成する。そして、生成したヘッダのタイミング信号をアンフォーマット回路１１０、およびデータ復調回路１１１へ出力する。
一方、光ピックアップ１０２は、検出した再生信号をＢＰＦ１０６へ出力し、ＢＰＦ１０６は、再生信号の高域、および低域をカットする。ＡＤ変換器１０７は、ＰＬＬ回路１０４からのクロックＣＫに同期して、ＢＰＦ１０６から出力された再生信号をアナログ信号からディジタル信号に変換する。
そして、波形等化回路１０８は、ＰＬＬ回路１０４からのクロックＣＫに同期してディジタル信号に変換された再生信号にＰＲ（１，１）波形等化を行なう。すなわち、検出信号の前後のデータが１対１に波形干渉を行なうように等化する。
その後、ビタビ復号回路１０９は、ＰＬＬ回路１０４からのクロックＣＫに同期して、波形等化を行なった再生信号を多値から２値に変換し、その変換した再生信号をアンフォーマット回路１１０、およびヘッダ検出回路１１３へ出力する。
そうすると、ヘッダ検出回路１１３は、コントローラ１１４から入力されたアドレス情報ＡＤおよびアドレス検出回路１０５から入力されたアドレス検出信号ＡＤＦに基づいて再生信号に含まれるヘッダの位置を検出し、ＰＬＬ回路１０４からのクロックに同期して再生信号からプリライトおよびヘッダのタイミング信号を生成する。そして、生成したヘッダのタイミング信号をアンフォーマット回路１１０、およびデータ復調回路１１１へ出力する。
また、アンフォーマット回路１１０は、ヘッダ検出回路１１３から入力されたタイミング信号に基づいて、光磁気記録媒体１００のユーザデータ領域に記録されたプリライト、ポストライト、およびヘッダを除去する。データ復調回路１１１は、ＰＬＬ回路１０４からのクロックＣＫに同期してアンフォーマットされた再生信号を入力して、記録時に施されたディジタル変調を解くための復調を行なう。そして、ＢＣＨデコーダ１１２は、復調された再生信号の誤り訂正を行ない、再生データとして出力する。これにより、光磁気記録媒体１００からの信号の再生動作が終了する。
本発明の実施の形態によれば、ファインクロックマーク信号の信号成分をコンパレートするコンパレートレベルは、既にコンパレートされた信号成分のコンパレートレベルに対する重み付けを大きくした重み付け平均によって演算するので、光磁気記録媒体に傷が形成されていても、ファインクロックマーク信号を正確に検出し、クロックを正確に生成できる。
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
産業上の利用可能性
この発明によれば、ファインクロックマーク信号の信号成分をコンパレートするコンパレートレベルは、既にコンパレートされた信号成分のコンパレートレベルに対する重み付けを大きくした重み付け平均によって演算するので、光磁気記録媒体に付いた傷に基づく信号成分が検出されても、ファインクロックマーク信号に基づいてクロックを正確に生成できる。したがって、この発明は、ファインクロックマーク信号を所定のレベルでコンパレートしてクロックを生成する光ディスク装置に適用可能である。
【図面の簡単な説明】
図１は、光磁気記録媒体とそのフォーマットを示す平面図である。
図２は、記録データ列のフォーマットを示す概略図である。
図３は、実施の形態１による光ディスク装置のブロック図である。
図４は、プリフォーマット領域、ユーザデータ領域からのデータの再生を説明するための図である。
図５は、図３に示す光ディスク装置のＦＣＭ検出回路のブロック図である。
図６は、図５に示すＦＣＭ検出回路における信号のタイミング図である。
図７は、ファインクロックマーク信号の波形図である。
図８は、ファインクロックマーク検出信号、およびクロックの生成を説明するための図である。
図９は、傷に基づく信号成分が含まれるファインクロックマーク信号の波形図である。
図１０は、図５に示すＤＳＰの処理ルーチンを示すフローチャートである。
図１１は、図１０に示すフローチャートのスライスレベルの計算のフローチャートである。
図１２は、ＰＬＬ回路のブロック図である。
図１３は、アドレス情報の検出、およびアドレス検出信号の生成を説明するための図である。
図１４は、タイミング信号の生成を説明するための図である。
図１５は、光ディスク装置により光磁気記録媒体に記録される記録データ列を説明するための図である。
図１６は、この発明の実施の形態におけるフォーマット回路の概略ブロック図である。
図１７は、図１６に示すタイミング発生回路における５３２計上カウンタ、および３９計上カウンタの動作を説明する信号のタイミングチャート図である。
図１８は、図１６に示すタイミング発生回路が生成するタイミング信号のチャートである。
図１９は、従来の問題点を説明するためのファインクロックマーク信号の波形図である。
【図１】
2002035527.tif 000003
【図２】
2002035527.tif 000004
【図３】
2002035527.tif 000005
【図４】
2002035527.tif 000006
【図５】
2002035527.tif 000007
【図６】
2002035527.tif 000008
【図７】
2002035527.tif 000009
【図８】
2002035527.tif 000010
【図９】
2002035527.tif 000011
【図１０】
2002035527.tif 000012
【図１１】
2002035527.tif 000013
【図１２】
2002035527.tif 000014
【図１３】
2002035527.tif 000015
【図１４】
2002035527.tif 000016
【図１５】
2002035527.tif 000017
【図１６】
2002035527.tif 000018
【図１７】
2002035527.tif 000019
【図１８】
2002035527.tif 000020
【図１９】
2002035527.tif 000021
【国際調査報告】
2002035527.tif 000022
2002035527.tif 000023
2002035527.tif 000024
2002035527.tif 000025